(57)【特許請求の範囲】
【請求項１】
複数の室内機を一つの室外機に接続し、前記室内機の熱交換器に膨張弁を介して冷媒を通過させることにより膨張させて、冷房を行う多室型空気調和装置において、前記室内機の何れかにドレン異常が発生したら、当該室内機の熱交換器の温度により前記膨張弁の良否を判断し、前記膨張弁が不良であれば、前記室外機のコンプレッサを停止させ、また、前記膨張弁が良好であれば、当該室内機のみの運転を停止させることを特徴とする多室型空気調和装置のドレン異常停止制御方法。
【請求項２】
請求項１において、前記室内機の熱交換器の温度に代えて、前記熱交換器からの吹出空気の温度を用いることを特徴とする多室型空気調和装置のドレン異常停止制御方法。
【請求項３】
複数の室内機を一つの室外機に接続し、前記室内機の熱交換器に膨張弁を介して冷媒を通過させることにより膨張させて、冷房を行う多室型空気調和装置において、前記室内機の熱交換器に設けられるドレンパンの水位を計測する水位センサと、前記水位センサにより検出される水位が危険領域となると、ドレン異常であると判定するドレン異常判断部と、前記熱交換器に設けられる温度センサと、前記ドレン異常判断部においてドレン異常であると判断された時の前記温度センサの温度及びドレン異常であると判断された後一定時間経過後の前記温度センサの温度を記憶するメモリと、前記メモリに記憶されているドレン異常であると判断された時の前記温度センサの温度とドレン異常であると判断された後一定時間経過後の前記温度センサの温度とを比較する比較部と、前記ドレン異常判断部によりドレン異常と判断されたときに前記膨張弁に全閉の指令を送り、前記比較部によりドレン異常であると判断された後一定時間経過後の前記温度センサの温度がドレン異常であると判断された時の前記温度センサの温度より所定温度以下の時に、前記膨張弁を不良と判断し、前記室外機のコンプレッサへ停止の指令を送り、また、前記比較部によりドレン異常であると判断された後一定時間経過後の前記温度センサの温度がドレン異常であると判断された時の前記温度センサの温度を所定温度越えるときに、前記膨張弁を良好と判断し、当該室内機のみの膨張弁へ全閉の指令を送る指令部よりなり、前記膨張弁を良好と判断したときには、当該室内機以外の前記室内機の運転を継続することを特徴とする多室型空気調和装置のドレン異常停止制御装置。
【請求項４】
請求項３において、前記室内機の熱交換器の温度に代えて、前記熱交換器からの吹出空気の温度を用いることを特徴とする多室型空気調和装置のドレン異常停止制御方法。
【発明の詳細な説明】
【０００１】
【発明の属する技術分野】
本発明は、多室型空気調和装置のドレン異常停止制御方法及びその装置に関し、特にビル用空調システムとして有用なものである。
【０００２】
【従来の技術】
一台の室外機で複数台の室内機を個々に制御する多室型空気調和装置（以下、マルチエアコンと称す。）は、従来の空調システムに較べ、低コスト、省工事等の利点を有する点に鑑み、現在ではビル空調の主流となっている。
図３はこの種のマルチエアコンを概念的に示す説明図である。
同図に示すように、当該マルチエアコンは、例えばビルの屋上等に設置される一台の室外機０１と、この室外機０１に冷媒配管０２を介して接続され、例えばビルの各部屋等に設置されている室内機０３1 、０３2 、・・・、０３n とからなる。
【０００３】
室外機０１及び各室内機０３1 〜０３n はそれぞれ熱交換器を有するとともに、室外機０１は冷媒を圧縮するコンプレッサを有している。
また、各室内機０３1 〜０３n は遠隔操作部０３1a、０３2a、・・・、０３naを有しており、この遠隔操作部０３1a〜０３naで室温等の空調条件を設定するようになっている。
各室内機０３1 〜０３n における空調条件は通信線を介して送出され、これを受けて制御部がコンプレッサの駆動速度、各種弁の開度の調整等、必要な制御を行うようになっている。
【０００４】
かかる、マルチエアコンにおいては、各室内機０３1 〜０３n の設定温度等、空調条件の変動により室外機０１におけるコンプレッサの負荷は大きく変動するのが一般的である。
そこで、かかる負荷変動に良好に追従し得るよう、この種のマルチエアコンでは、コンプレッサを駆動する電動機をインバータで速度制御するインバータ制御コンプレッサを用いている。
【０００５】
【発明が解決しようとする課題】
上述したマルチエアコンにおいては、冷房時に、室内機０３1 〜０３n の熱交換器が蒸発器として機能する為、高温高湿の空気から水が結露する。
そのため、室内機０３1 〜０３n の熱交換器には水滴を受けるためのドレンパンが設けられ、このドレンパンには外部へ排出するためのドレンパイプが付属している。
更に、ドレンパンの水位を検出するセンサ（フロートスイッチ）が設けられ、ドレン水位が危険領域となると、ドレン異常であるとして、全ての室内機０３1 〜０３n を停止するために室外機０１のコンプレッサを止める保護制御を行っている。
【０００６】
このような保護制御で、ドレン異常がある室内機０３1 〜０３n のみならず、ドレン異常のない室内機０３1 〜０３n も運転停止するのは、ドレン異常のときに、膨張弁に不良である虞があるためである。
即ち、ドレン異常のある室内機０３1 〜０３n のみの膨張弁を全閉とするとすれば、その膨張弁が不良である場合、膨張弁が開いて、冷媒が熱交換器を通り、ドレンから水が溢れる虞がある。
【０００７】
従って、膨張弁が不良である場合においても、ドレンから水が溢れるのを防止するには、室外機０１のコンプレッサを止めて、全ての室内機０３1 〜０３n も停止のが望ましいのである。
このように室内機０３1 〜０３n の水漏れだけは何とか防ぎたいとの要請から、全ての室内機０３1 〜０３n を停止していたため、その結果ドレン異常のない室内機０３1 〜０３n も止まっていたのである。
【０００８】
本発明は、上記従来技術に鑑みてなされたものであり、膨張弁が良好か否か確かめることにより、ドレン異常の室内機のみの運転を停止させることのできる多室型空気調和装置のドレン異常停止制御方法及びその装置を提供することを目的とする。
【０００９】
【課題を解決するための手段】
斯かる目的を達成する本発明の請求項１に係る多室型空気調和装置のドレン異常停止制御方法は、複数の室内機を一つの室外機に接続し、前記室内機の熱交換器に膨張弁を介して冷媒を通過させることにより膨張させて、冷房を行う多室型空気調和装置において、前記室内機の何れかにドレン異常が発生したら、当該室内機の熱交換器の温度により前記膨張弁の良否を判断し、前記膨張弁が不良であれば、前記室外機のコンプレッサを停止させ、また、前記膨張弁が良好であれば、当該室内機のみの運転を停止させることを特徴とする。
【００１０】
上記目的を達成する本発明の請求項２に係る多室型空気調和装置のドレン異常停止制御方法は、請求項１において、前記室内機の熱交換器の温度に代えて、前記熱交換器からの吹出空気の温度を用いることを特徴とする。
【００１１】
上記目的を達成する本発明の請求項３に係る多室型空気調和装置のドレン異常停止制御装置は、複数の室内機を一つの室外機に接続し、前記室内機の熱交換器に膨張弁を介して冷媒を通過させることにより膨張させて、冷房を行う多室型空気調和装置において、前記室内機の熱交換器に設けられるドレンパンの水位を計測する水位センサと、前記水位センサにより検出される水位が危険領域となると、ドレン異常であると判定するドレン異常判断部と、前記熱交換器に設けられる温度センサと、前記ドレン異常判断部においてドレン異常であると判断された時の前記温度センサの温度及びドレン異常であると判断された後一定時間経過後の前記温度センサの温度を記憶するメモリと、前記メモリに記憶されているドレン異常であると判断された時の前記温度センサの温度とドレン異常であると判断された後一定時間経過後の前記温度センサの温度とを比較する比較部と、前記ドレン異常判断部によりドレン異常と判断されたときに前記膨張弁に全閉の指令を送り、前記比較部によりドレン異常であると判断された後一定時間経過後の前記温度センサの温度がドレン異常であると判断された時の前記温度センサの温度より所定温度以下の時に、前記膨張弁を不良と判断し、前記室外機のコンプレッサへ停止の指令を送り、また、前記比較部によりドレン異常であると判断された後一定時間経過後の前記温度センサの温度がドレン異常であると判断された時の前記温度センサの温度を所定温度越えるときに、前記膨張弁を良好と判断し、当該室内機のみの膨張弁へ全閉の指令を送る指令部よりなり、前記膨張弁を良好と判断したときには、当該室内機以外の前記室内機の運転を継続することを特徴とする。
【００１２】
上記目的を達成する本発明の請求項３に係る多室型空気調和装置のドレン異常停止制御装置は、請求項３において、前記室内機の熱交換器の温度に代えて、前記熱交換器からの吹出空気の温度を用いることを特徴とする
【００１３】
【発明の実施の形態】
以下、本発明の実施の形態について、図面に示す実施例を参照して詳細に説明する。
本発明の第１の実施例を図１、図２に示す。
図１は、本実施例に係るマルチエアコンを示す構成図、図２は多室型空気調和装置のファン制御装置を示す構成図である。
本実施例に係るマルチエアコンは、図１に示すように、定速コンプレッサ１４及びインバータ制御コンプレッサ１３を室外機１に組み込んだものである。
【００１４】
即ち、本実施例に係るマルチエアコンは、例えばビルの屋上等に設置される一台の室外機１と、この室外機１に冷媒配管２を介して接続され、例えばビルの各部屋等に設置されている室内機３1 、・・・、３n とからなる。
室外機１及び各室内機３1 〜３n はそれぞれファンモータ４、７1 〜７n 及び熱交換器１１、１２1 、・・・、１２n を有するとともに、室外機１は冷媒を圧縮するコンプレッサ１３、１４を有している。
【００１５】
このように本実施例は２台のコンプレッサ１３、１４を有するが、これらのうちコンプレッサ１３はその駆動源であるモータをインバータで制御するようにしたインバータ制御コンプレッサであり、コンプレッサ１４はインバータ制御を行わない一定回転のモータを駆動源とする定速コンプレッサである。
そして、これらのインバータ制御コンプレッサ１３及び定速コンプレッサ１４の駆動時には、先ずインバータ制御コンプレッサ１３を駆動して低負荷に対応し、負荷の増大に伴いインバータ制御コンプレッサ１３の出力が最大になった時点でこのインバータ制御コンプレッサ１３の出力を零若しくはその近傍として定速コンプレッサ１４を駆動し、その後の負荷の増大に対応してインバータ制御コンプレッサの出力を増大させるように制御して負荷変動に対処するようになっている。
【００１６】
このとき、インバータ制御コンプレッサ１３と定速コンプレッサ１４とは同出力のものを用いている。すなわち、当該マルチエアコンで要求される定格出力が１０馬力であるとすると、インバータ制御コンプレッサ１３及び定速コンプレッサ１４の定格出力は何れも５馬力のものを使用する。
この場合、勿論１０馬力の１台のインバータ制御コンプレッサを使用することもできるが、本実施例の如く２台のコンプレッサ１３、１４を用いることにより、これらの制御部の小形化を図ることができ、これに伴う部品の小形化により大幅なコストの低減を図ることができるという利点を有する。
【００１７】
両コンプレッサ１３、１４の吐出側の冷媒配管２にはオイルセパレータ１５、１６が配設してある。
これらのオイルセパレータ１５、１６はコンプレッサ１３、１４でそれぞれ圧縮して吐出した高温・高圧の冷媒中に含まれる潤滑油を分離し、キャピラリ１７、１８を介して両コンプレッサ１３、１４に戻すためのものである。これによりコンプレッサ１３、１４の摺動部の焼付きを防止している。
ちなみに、コンプレッサ１３、１４はモータ及びこれに駆動される圧縮部等、多くの摺動部を有しており、これらの潤滑を行うべく潤滑油が封入されているが、この潤滑油が冷媒とともに流出して減少した場合には摺動部で焼付きを起こす虞がある。
【００１８】
オイルセパレータ１６の吐出側の冷媒配管２には逆止弁１９が配設してある。
この逆止弁１９はインバータ制御コンプレッサ１３の駆動により圧縮されて高圧となった冷媒ガスの圧力が定速コンプレッサ１４の吐出側に作用するのを防止するためのものである。
このことにより、前述の如くインバータ制御コンプレッサ１３よりも後に起動される定速コンプレッサ１４の起動時に余分な負荷が作用して過負荷となるのを防止することができる。
本実施例では常にインバータ制御コンプレッサ１３が定速コンプレッサ１４よりも先に起動するような制御を行うためオイルセパレータ１５側には逆止弁を設ける必要はない。
【００１９】
四方向切換弁２０は当該マルチエアコンの冷房運転時と暖房運転時とにおける冷媒の流れ方向を切り換えるためのものである。
アキュムレータ２１は冷媒の気体と液体とを分離するためのものである。
冷暖房運転に伴う所定の熱交換を終了した冷媒は気体と液体が混合した気液混合状態となっているが、これをそのままコンプレッサ１３、１４に戻した場合、コンプレッサ１３、１４は冷媒ガスのみならず冷媒液も圧縮することとなる。
【００２０】
かかる液圧縮はコンプレッサ１３、１４にとって過負荷となり焼付き等の故障の原因となるので避けなければならない。
そこで、アキュムレータ２１は気液混合状態の冷媒を取り込んで気液分離を行い、冷媒ガスのみがコンプレッサ１３、１４に戻るようにしている。
膨張弁２２は直列に接続されたキャピラリ２３及び逆止弁２４と相互に並列になるように熱交換器１１の近傍で冷媒配管２に配設してある。
膨張弁２２は電気信号によりその開度を調節して冷媒の流量を調節可能な電子膨張弁であり、主に暖房運転時に冷媒を流通させ、熱交換器１１を蒸発器として機能させるため１ものである。
【００２１】
キャピラリ２３及び逆止弁２４は冷房運転時に冷媒を流通させ、熱交換器１１を凝縮器として機能させるためのものである。
なお、暖房時にも膨張弁２２を介して冷媒を流すことができ、この場合にはキャピラリ２３及び逆止弁２４は必ずしも必要ではないが、膨張弁２２を介して冷媒を流した場合には冷媒の流動音が大きいので、膨張弁２２を絞り、キャピラリ２３及び逆止弁２４を介して冷媒を流通させればこの流動音を低減することができる。
すなわち、キャピラリ２３及び逆止弁２４は騒音低減効果をも得るためのものである。同様の機能を有する膨張弁２５1 、・・・、２５n 、キャピラリ２６1 、・・・、２６n 及び逆止弁２７1 、・・・、２７n は各室内機３1 〜３n において各熱交換器１２1 〜１２n の近傍にも設けてある。
【００２２】
なお、前述の如きキャピラリ２３及び逆止弁２４による騒音低減効果は、人が居ることが多い室内に設置された各室内機３1 〜３n 側において特に有用なものとなる。
なお、図１中、２８、２９、３０、３１はキャピラリであり、何れも冷媒に対する流動抵抗となるよう冷媒配管２の途中に配設されている。
【００２３】
かかるマルチエアコンにおいて冷房運転を行うときには、四方向切換弁２０の切り換えにより図中に実線の矢印で示す経路により冷媒を流す。
すなわち、コンプレッサ１３、１４で圧縮された高温・高圧の冷媒ガスは四方向切換弁２０を通り熱交換器１１に至る。
ここで冷媒ガスはファンモータ４で駆動されるファンが送給する空気と熱交換して冷却され、凝縮して高温の冷媒液となり、キャピラリ２３、逆止弁２４及び冷媒配管２を介して各室内機３1 〜３n に至る。
【００２４】
この結果冷媒は各室内機３1 〜３n の膨張弁２５1 〜２５n を通過する際に膨張し、気液混合状態となって熱交換器１２1 〜１２n に至り、ファンモータ７1 〜７n で駆動されるファンが送給する空気と熱交換し、温められて蒸発する。
ここで冷媒は液体と混合状態した状態の冷媒ガスとなり、四方向切換弁２０を介してアキュムレータ２１に至る。
このアキュムレータ２１で気液分離され冷媒ガスとしてコンプレッサ１３、１４に戻る。このように、冷房運転においては室外機１側の熱交換器１１が凝縮器として機能し、室内機３1 〜３n が蒸発器として機能する。
【００２５】
一方、暖房運転を行うときには、四方向切換弁２０の切り換えにより図中に点線の矢印で示す経路により冷媒を流す。
すなわち、コンプレッサ１３、１４から吐出された冷媒は四方向切換弁２０、各室内機３1 〜３n 、キャピラリ２６1 〜２６n 、逆止弁２７1 〜２７n 、膨張弁２２、熱交換器１１、四方向切換弁２０及びアキュムレータ２１を通ってコンプレッサ１３、１４に戻る。
このとき室内機３1 〜３n 側の熱交換器１２1 〜１２n は凝縮器として機能し、室外機１側の熱交換器１１は蒸発器として機能する。
【００２６】
また、各室内機３1 〜３n が設置された部屋の室温は、冷暖房時の各室内機３1 〜３n 側と室外機１側との間での通信回線を介した情報の授受により、各室内機３1 〜３n 側からの要求に応じた空調条件に対応させて膨張弁２２、２５1 〜２５n の開度を個別に調節することにより制御する。
かかる情報の授受及び制御は、室外機１及び各室内機３1 〜３n がそれぞれ有するマイクロ・コンピュータ等の制御部を通じて行う。
【００２７】
上記構成を有する本実施例のマルチエアコンにおいて、各室内機３1 、・・・、３n には、冷房運転時にドレン異常が発生した室内機のみ運転を停止させるため、図２に示すドレン異常停止制御装置４１が設けられている。
即ち、ドレン異常停止制御装置４１は、室内機３にドレン異常が発生したら、当該室内機３の熱交換器１２の温度により膨張弁２５の良否を判断し、膨張弁２５が不良であれば、室外機１のコンプレッサ１３，１４を停止させ、また、膨張弁２５が良好であれば、当該室内機３のみの運転を停止させる制御を行うものであり、熱交換器用温度センサ４０、フロートセンサ４２、ドレン異常判断部４３、メモリ４４，比較部４５及び指令部４６とを備える。
【００２８】
熱交換器用温度センサ４０は、熱交換器１２の温度（以下、熱交温度と言う）を検出するセンサであり、検出した温度をメモリ４４へ出力する。
フロートセンサ４２は、熱交換器１２に設けられたドレンパン４８の水位を検出するセンサであり、検出した水位をドレン異常判断部４３へ出力する。
ドレン異常判断部４３は、フロートセンサ４２により検出された水位が危険領域に到達すると、ドレン異常であると判断して指令部４６へ出力する。
【００２９】
メモリ４４は、ドレン異常判断部４３によりドレン異常であると判断されたときの熱交温度Ｔ1及びドレン異常であると判断された時から一定時間経過後の熱交温度Ｔ2を記憶している。
比較部４５は、ドレン異常判断部４３によりドレン異常であると判断されたときの熱交温度Ｔ1とドレン異常であると判断された時から一定時間経過後の熱交温度Ｔ2を比較し、その結果を指令部４６へ送る。
指令部４６は、次のようにして、膨張弁２５が良好か否かを判断する。
【００３０】
先ず、ドレン異常判断部４３によりドレン異常と判断されたときに、膨張弁２５に全閉の指令を送り、この時の熱交温度Ｔ1を温度センサ４０で検出してメモリ４４に記憶させる。
次に、ドレン異常であると判断された時から一定時間経過後の熱交温度Ｔ2を温度センサ４０で検出してメモリ４４に記憶する。
引き続き、比較部４５でメモリ４４に記憶されている熱交温度Ｔ1，Ｔ2を下式（１）（２）のように判断する。
Ｔ2＞Ｔ1＋Ａ      …（１）
Ｔ2≦Ｔ1＋Ａ      …（２）
但し、Ａは予め設定された所定温度である。
【００３１】
（１）式のように判断されるときには、冷房運転時において、膨張弁２５が良好に閉じたことにより、室温が上昇したと考えられることから、指令部４６は、膨張弁２５を良好であると判断し、ドレン異常の発生している室内機３の膨張弁２５のみを停止させる。
従って、ドレン異常の発生していない室内機３は冷房運転を継続することになる。
【００３２】
また、（２）式のように判断されるときには、冷房運転時において、膨張弁２５が不良のため閉じず冷媒が流れることにより、室温は上昇しないことから、指令部４６は、膨張弁２５を不良であると判断し、室外機１のコンプレッサ１３，１４を停止させる指令を出力する。
従って、全ての室内機３も停止することとなり、不良と判断された膨張弁２５の属する室内機３においても、熱交換機１２に冷媒は流れず、ドレンパンから水が溢れ出ることはない。
【００３３】
このように、本実施例では、膨張弁２５が良好であるか否かを熱交温度により判定しているため、膨張弁２５が良好であるときには、ドレン異常の発生している室内機のみの運転を停止でき、その他の室内機３の運転を継続できるので、必要最低限の運転停止でドレン異常に対処できる利点がある。
また、膨張弁２５が不良である場合には、室外機を停止させて全ての室内機の運転を停止するので、室内機の熱交換器から水が溢れ出るという最悪な状態を回避できる利点もある。
尚、上述したドレン異常停止制御装置４１は、各機能に対応してドレン異常判断部４３、メモリ４４、比較部４５及び指令部４６等を備えるが、同様の機能をプログラムしたマイクロ・コンピュータを利用しても良い。
【００３４】
〔実施例２〕
本発明の第２の実施例を図４に示す。
本実施例は、図２に示すドレン異常停止制御装置４１において、熱交温度（熱交換器１２の温度）に代えて、熱交換器１２からの吹出空気の温度を検出するものである。
即ち、熱交換器１２の吹出側には吹出空気用温度センサ４７が設けられ、この温度センサ４７で検出された温度は、メモリ４４へ記憶され、比較器４５により、上記式（１）（２）における熱交温度Ｔ1，Ｔ2に代えて比較される。
【００３５】
その結果、本実施例においては、膨張弁２５が良好であるか否かを熱交換器１２からの吹出空気の温度により判定でき、膨張弁２５が良好であるときには、ドレン異常の発生している室内機のみの運転を停止でき、その他の室内機３の運転を継続でき、また、膨張弁２５が不良である場合には、室外機１を停止させて全ての室内機３の運転を停止できる。
尚、熱交換器１２からの吹出空気の温度が、熱交温度と等しいとみなされるためには、最低限、温度センサ４７で温度を検出する際には、ファンを回して熱交換器１２から空気を吹き出させる必要がある。
【００３６】
【発明の効果】
以上、実施例に基づいて具体的に説明したように、本発明の請求項１又は２に係る多室型空気調和装置のドレン異常停止制御方法は、複数の室内機を一つの室外機に接続し、前記室内機の熱交換器に膨張弁を介して冷媒を通過させることにより膨張させて、冷房を行う多室型空気調和装置において、前記室内機の何れかにドレン異常が発生したら、当該室内機の熱交換器の温度又は前記熱交換器からの吹出空気の温度により前記膨張弁の良否を判断し、前記膨張弁が不良であれば、前記室外機のコンプレッサを停止させ、また、前記膨張弁が良好であれば、当該室内機のみの運転を停止させるため、膨張弁が良好であるか否かを熱交温度により判定でき、膨張弁が良好であるときには、ドレン異常の発生している室内機のみの運転を停止でき、その他の室内機の運転を継続できるので、必要最低限の運転停止でドレン異常に対処できる利点があり、更に、膨張弁が不良である場合には、室外機を停止させて全ての室内機の運転を停止するので、室内機の熱交換器から水が溢れ出るという最悪な状態を回避できる利点もある。
【００３７】
上記目的を達成する本発明の請求項３又は４に係る多室型空気調和装置のドレン異常停止制御装置は、複数の室内機を一つの室外機に接続し、前記室内機の熱交換器に膨張弁を介して冷媒を通過させることにより膨張させて、冷房を行う多室型空気調和装置において、前記室内機の熱交換器に設けられるドレンパンの水位を計測する水位センサと、前記水位センサにより検出される水位が危険領域となると、ドレン異常であると判定するドレン異常判断部と、前記熱交換器又はその吹出側に設けられる温度センサと、前記ドレン異常判断部においてドレン異常であると判断された時の前記温度センサの温度及びドレン異常であると判断された後一定時間経過後の前記温度センサの温度を記憶するメモリと、前記メモリに記憶されているドレン異常であると判断された時の前記温度センサの温度とドレン異常であると判断された後一定時間経過後の前記温度センサの温度とを比較する比較部と、前記ドレン異常判断部によりドレン異常と判断されたときに前記膨張弁に全閉の指令を送り、前記比較部によりドレン異常であると判断された後一定時間経過後の前記温度センサの温度がドレン異常であると判断された時の前記温度センサの温度より所定温度以下の時に、前記膨張弁を不良と判断し、前記室外機のコンプレッサへ停止の指令を送り、また、前記比較部によりドレン異常であると判断された後一定時間経過後の前記温度センサの温度がドレン異常であると判断された時の前記温度センサの温度を所定温度越えるときに、前記膨張弁を良好と判断し、当該室内機のみの膨張弁へ全閉の指令を送る指令部よりなるため、膨張弁が良好であるか否かを熱交温度により判定でき、膨張弁が良好であるときには、ドレン異常の発生している室内機のみの運転を停止でき、その他の室内機の運転を継続できるので、必要最低限の運転停止でドレン異常に対処できる利点があり、更に、膨張弁が不良である場合には、室外機を停止させて全ての室内機の運転を停止するので、室内機の熱交換器から水が溢れ出るという最悪な状態を回避できる利点もある。
【図面の簡単な説明】
【図１】本発明の第１の実施例に係るマルチエアコンを示す構成図である。
【図２】ドレン異常停止制御装置を示すブロック図である。
【図３】マルチエアコンを示す概略図である。
【図４】本発明の第２の実施例に係るドレン異常停止制御装置を示すブロック図である。
【符号の説明】
１        室外機
２        冷媒配管
３1 〜３n         室内機
４        ファンモータ
５        インバータ
６        コンプレッサモータ
７        ファンモータ
１１        熱交換器
１２1 〜１２n         熱交換器
１３        インバータ制御コンプレッサ
１４        定速コンプレッサ
４０        熱交換器用温度センサ
４１        ドレン異常停止制御装置
４２        フロートセンサ
４３        ドレン異常判断部
４４        メモリ
４５        比較部
４６        指令部
４７        吹出空気用温度センサ
４８        ドレンパン
【図１】
0003801321.tif 000002
【図２】
0003801321.tif 000003
【図３】
0003801321.tif 000004
【図４】
0003801321.tif 000005